(57)【要約】    【課題】モニタ付インターホン居室親機またはモニタ付インターホン居室副親機において住宅の玄関周辺のみならず、居室内の状況を監視する。    【解決手段】カメラ付インターホン玄関子機１ａで撮像した映像をモニタ付インターホン居室親機２で出画するとともに、モニタ付インターホン居室親機２を介して映像をモニタ付インターホン居室副親機４ａで出画し、カメラ付インターホン玄関子機１ａ、モニタ付インターホン居室親機２、モニタ付インターホン居室副親機４ａ相互間で双方向通話を行なうテレビインターホン装置であって、モニタ付インターホン居室副親機４ａは、別居室内を撮像するための副親機カメラ４１を有し、モニタ付インターホン居室親機２は、副親機カメラ４１からの映像を無線の映像信号として受信し表示するための親機無線受信機３３ｂを備える。    【選択図】図２
2005109834.tif 000002
【特許請求の範囲】
【請求項１】
住宅の玄関に設けられ少なくとも１台以上のカメラ付インターホン玄関子機（１ａ、１ｂ、・・・）と、前記住宅の居室に設けられ前記カメラ付インターホン子機と有線で接続されるモニタ付インターホン居室親機（２）と、
前記モニタ付インターホン居室親機と無線で接続される少なくとも１台以上のモニタ付インターホン居室副親機（４ａ、４ｂ、・・・）とを備え、前記カメラ付インターホン玄関子機で撮像した映像を前記モニタ付インターホン居室親機で出画するとともに、前記モニタ付インターホン居室親機を介して前記映像を前記モニタ付インターホン居室副親機で出画し、前記カメラ付インターホン玄関子機、前記モニタ付インターホン居室親機、前記モニタ付インターホン居室副親機相互間で双方向通話を行なうテレビインターホン装置であって、
前記モニタ付インターホン居室副親機には、前記別居室内を撮像するための副親機カメラ（４１）を有し、
前記モニタ付インターホン居室親機には、前記副親機カメラからの映像を無線の映像信号として受信し、表示するための親機無線受信機（３３ｂ）を備えたことを特徴とするテレビインターホン装置。
【請求項２】
住宅の玄関に設けられ少なくとも１台以上のカメラ付インターホン玄関子機（１ａ、１ｂ、・・・）と、前記住宅の居室に設けられ前記カメラ付インターホン子機と有線で接続されるモニタ付インターホン居室親機（２）と、
前記モニタ付インターホン居室親機と無線で接続される少なくとも１台以上のモニタ付インターホン居室副親機（４ａ、４ｂ、・・・）とを備え、前記カメラ付インターホン玄関子機で撮像した映像を前記モニタ付インターホン居室親機で出画するとともに、前記モニタ付インターホン居室親機を介して前記映像を前記モニタ付インターホン居室副親機で出画し、前記カメラ付インターホン玄関子機、前記モニタ付インターホン居室親機、前記モニタ付インターホン居室副親機相互間で双方向通話を行なうテレビインターホン装置であって、
前記モニタ付インターホン居室親機は、前記カメラ付インターホン子機から伝送された子機映像信号をデジタル方式で記録するための記録媒体（２２）を有し、
前記モニタ付インターホン居室副親機は、前記記録媒体に記録されている前記子機映像信号を取得するための子機映像信号取得操作手段（５１ｂ）を備え、
前記子機映像信号取得信号を受信した前記モニタ付インターホン居室親機は、前記記録媒体に記録された子機映像信号を読み出して前記モニタ付インターホン居室副親機に送信し、表示させることを特徴とするテレビインターホン装置。
【請求項３】
前記記録媒体は、前記モニタ付インターホン居室副親機の前記副親機カメラから伝送された副親機映像信号を記録し、
前記モニタ付インターホン居室副親機は、前記記録媒体に記録されている副親機映像信号を取得するための副親機映像信号取得操作手段（５１ｄ）を備え、
前記副親機映像信号取得信号を受信した前記モニタ付インターホン居室親機は、前記記録媒体に記録された副親機映像信号を読み出して前記モニタ付インターホン居室副親機に送信し、表示させることを特徴とする請求項２記載のテレビインターホン装置。
【請求項４】
住宅の玄関に設けられ少なくとも１台以上のカメラ付インターホン玄関子機（１ａ、１ｂ、・・・）と、前記住宅の居室に設けられ前記カメラ付インターホン子機と有線で接続されるモニタ付インターホン居室親機（２）と、
前記モニタ付インターホン居室親機と無線で接続される少なくとも１台以上のモニタ付インターホン居室副親機（４ａ、４ｂ、・・・）とを備え、前記カメラ付インターホン玄関子機で撮像した映像を前記モニタ付インターホン居室親機で出画するとともに、前記モニタ付インターホン居室親機を介して前記映像を前記モニタ付インターホン居室副親機で出画し、前記カメラ付インターホン玄関子機、前記モニタ付インターホン居室親機、前記モニタ付インターホン居室副親機相互間で双方向通話を行なうテレビインターホン装置であって、
前記モニタ付インターホン居室親機は、前記カメラ付インターホン子機から伝送された子機音声信号をデジタル方式で記録するための記録媒体（２２）を有し、
前記モニタ付インターホン居室副親機は、前記記録媒体に記録されている前記子機音声信号を取得するための子機音声信号取得操作手段（５１ａ）を備え、
前記子機音声信号取得信号を受信した前記モニタ付インターホン居室親機は、前記記録媒体に記録された子機音声信号を読み出して前記モニタ付インターホン居室副親機に送信し、再生させることを特徴とするテレビインターホン装置。
【請求項５】
住宅の玄関に設けられ少なくとも１台以上のカメラ付インターホン玄関子機（１ａ、１ｂ、・・・）と、前記住宅の居室に設けられ前記カメラ付インターホン子機と有線で接続されるモニタ付インターホン居室親機（２）と、
前記モニタ付インターホン居室親機と無線で接続される少なくとも１台以上のモニタ付インターホン居室副親機（４ａ、４ｂ、・・・）とを備え、
前記カメラ付インターホン玄関子機で撮像した映像を前記モニタ付インターホン居室親機で出画するとともに、前記モニタ付インターホン居室親機を介して前記映像を前記モニタ付インターホン居室副親機で出画し、前記カメラ付インターホン玄関子機、前記モニタ付インターホン居室親機、前記モニタ付インターホン居室副親機相互間で双方向通話を行なうテレビインターホン装置であって、
前記モニタ付インターホン居室親機は記録媒体（２２）を備え、前記記録媒体は、各モニタ付インターホン居室副親機から伝送された副親機音声信号を記録し、
前記モニタ付インターホン居室副親機は、前記記録媒体に記録されている自らの、或は他の副親機の副親機音声信号を取得するための副親機音声信号取得操作手段（５１ｃ）を備え、
前記副親機音声信号取得信号を受信した前記モニタ付インターホン居室親機は、前記記録媒体に記録された副親機音声信号を読み出して前記モニタ付インターホン居室副親機に送信し、再生させることを特徴とするテレビインターホン装置。
【請求項６】
前記モニタ付インターホン居室親機は、前記カメラ付インターホン子機から伝送されるアナログ信号である映像信号をデジタル信号変換する親機Ａ／Ｄ変換回路（２６）と、前記デジタル信号を圧縮して圧縮信号を発生させるための親機圧縮器（２８ｂ）と、前記圧縮信号を無線にて送信するための親機無線送信機（３３ａ）とを備え、
前記モニタ付インターホン居室副親機は、前記親機無線送信機からの圧縮信号を受信する副親機無線受信機（４９ｂ）と、前記圧縮信号を伸長して表示させるための副親機伸長器（４３ａ）とを備えたことを特徴とする請求項１乃至請求項５何れか１項記載のテレビインターホン装置。
【請求項７】
前記モニタ付インターホン居室副親機は、前記モニタ付インターホン居室副親機から伝送される映像信号をデジタル信号変換する副親機Ａ／Ｄ変換回路（４２）と、前記デジタル信号を圧縮して圧縮信号を発生させるための副親機圧縮器（４３ｂ）と、前記圧縮信号を無線にて送信するための副親機無線送信機（４９ａ）とを備え、
前記モニタ付インターホン居室親機は、前記副親機無線送信機からの圧縮信号を受信する親機無線受信機（３３ｂ）と、前記圧縮信号を伸長して表示させるための親機伸長器（２８ａ）とを備えたことを特徴とする請求項１乃至請求項６何れか１項記載のテレビインターホン装置。
【請求項８】
前記モニタ付インターホン居室親機と前記モニタ付インターホン居室副親機間の無線通信方式として、ブルートゥ―ス規格を使用することを特徴とする請求項１乃至請求項７何れか１項記載のテレビインターホン装置。
【請求項９】
前記記録媒体として、ＳＤメモリカードを使用することを特徴とする請求項２乃至請求項８何れか１項記載のテレビインターホン装置。
【発明の詳細な説明】
【技術分野】
【０００１】
本発明は、テレビインターホン装置に係わり、特にカメラ付インターホン玄関子機、モニタ付インターホン居室親機、モニタ付インターホン居室副親機相互間で双方向通話を行なうことができるテレビインターホン装置に関する。
【背景技術】
【０００２】
従来から、この種のテレビインターホン装置として、カメラ付インターホン玄関子機と、当該カメラ付インターホン玄関子機に有線で接続されるモニタ付インターホン居室親機と、カメラ付インターホン玄関子機およびモニタ付インターホン居室親機と無線で通話することができるモニタ付インターホン居室副親機とを備えて成るものが知られている。（例えば、特許文献１参照）。
【０００３】
ここで、モニタ付インターホン居室親機は、カメラ付インターホン玄関子機から伝送された音声信号と映像信号を無線信号で送信し、モニタ付インターホン居室副親機から無線送信される無線音声信号を受信する無線送受信部を有し、モニタ付インターホン居室副親機は、モニタ付インターホン居室親機から無線信号により送信される無線音声信号と無線映像信号を受信し、音声信号を無線信号で送信する無線送受信部を有し、モニタ付インターホン居室親機とモニタ付インターホン居室副親機との通話の際に、モニタ付インターホン居室親機は、音声信号を無線信号により送信し、モニタ付インターホン居室副親機から送信される無線音声信号を受信するとともに、モニタ付インターホン居室副親機は、モニタ付インターホン居室親機から送信される無線音声信号を受信し、音声信号を無線送信するように構成されている。
【０００４】
このような構成のテレビインターホン装置によれば、モニタ付インターホン居室副親機の設置および増設時における配線工事の省施工化を図ることができ、また、モニタ付インターホン居室副親機の設置場所を自由に設定することが可能となり、さらに、システムの買い替え時に、カメラ付インターホン玄関子機とモニタ付インターホン居室親機間の伝送路を利用することができ、モニタ付インターホン居室副親機を加えた構成を容易に実現することができる。
【０００５】
しかしながら、このような構成のテレビインターホン装置においては、モニタ付インターホン居室副親機に居室内を監視する機能が搭載されていないことから、モニタ付インターホン居室親機においてモニタ付インターホン居室副親機が設置されている居室内の状況を確認および録画することができないという難点があった。従って、従来のテレビインターホン装置においては、モニタ付インターホン居室副親機を居室内の防犯設備として利用することができないという難点があった。
【０００６】
【特許文献１】特開２０００−２２４３１６号公報  （段落番号「０００８」、「００２８」、図１）
【発明の開示】
【発明が解決しようとする課題】
【０００７】
本発明は、上述の難点を解消するためになされたもので、モニタ付インターホン居室親機またはモニタ付インターホン居室副親機において住宅の玄関周辺のみならず、モニタ付インターホン居室副親機が設置された居室内の状況を確認および録画することができ、ひいてはモニタ付インターホン居室副親機を防犯設備として利用することができるテレビインターホン装置を提供することを目的としている。
【課題を解決するための手段】
【０００８】
本発明の第１の態様であるテレビインターホン装置は、住宅の玄関に設けられ少なくとも１台以上のカメラ付インターホン玄関子機と、住宅の居室に設けられカメラ付インターホン子機と有線で接続されるモニタ付インターホン居室親機と、モニタ付インターホン居室親機と無線で接続される少なくとも１台以上のモニタ付インターホン居室副親機とを備え、カメラ付インターホン玄関子機で撮像した映像をモニタ付インターホン居室親機で出画するとともに、モニタ付インターホン居室親機を介して映像をモニタ付インターホン居室副親機で出画し、カメラ付インターホン玄関子機、モニタ付インターホン居室親機、モニタ付インターホン居室副親機相互間で双方向通話を行なうテレビインターホン装置であって、モニタ付インターホン居室副親機には、別居室内を撮像するための副親機カメラを有し、モニタ付インターホン居室親機には、副親機カメラからの映像を無線の映像信号として受信し、表示するための親機無線受信機を備えたものである。
【０００９】
また、本発明の第２の態様は、住宅の玄関に設けられ少なくとも１台以上のカメラ付インターホン玄関子機と、住宅の居室に設けられカメラ付インターホン子機と有線で接続されるモニタ付インターホン居室親機と、モニタ付インターホン居室親機と無線で接続される少なくとも１台以上のモニタ付インターホン居室副親機とを備え、カメラ付インターホン玄関子機で撮像した映像をモニタ付インターホン居室親機で出画するとともに、モニタ付インターホン居室親機を介して映像を前記モニタ付インターホン居室副親機で出画し、カメラ付インターホン玄関子機、モニタ付インターホン居室親機、モニタ付インターホン居室副親機相互間で双方向通話を行なうテレビインターホン装置であって、モニタ付インターホン居室親機は、カメラ付インターホン子機から伝送された子機映像信号をデジタル方式で記録するための記録媒体を有し、モニタ付インターホン居室副親機は、記録媒体に記録されている子機映像信号を取得するための子機映像信号取得操作手段を備え、子機映像信号取得信号を受信したモニタ付インターホン居室親機は、記録媒体に記録された子機映像信号を読み出してモニタ付インターホン居室副親機に送信し、表示させるものである。
【００１０】
また、本発明の第３の態様は、第２の態様であるテレビインターホン装置において、記録媒体は、モニタ付インターホン居室副親機の副親機カメラから伝送された副親機映像信号を記録し、モニタ付インターホン居室副親機は、記録媒体に記録されている副親機映像信号を取得するための副親機映像信号取得操作手段を備え、副親機映像信号取得信号を受信したモニタ付インターホン居室親機は、記録媒体に記録された副親機映像信号を読み出してモニタ付インターホン居室副親機に送信し、表示させるものである。
【００１１】
また、本発明の第４の態様は、住宅の玄関に設けられ少なくとも１台以上のカメラ付インターホン玄関子機と、住宅の居室に設けられカメラ付インターホン子機と有線で接続されるモニタ付インターホン居室親機と、モニタ付インターホン居室親機と無線で接続される少なくとも１台以上のモニタ付インターホン居室副親機とを備え、カメラ付インターホン玄関子機で撮像した映像をモニタ付インターホン居室親機で出画するとともに、モニタ付インターホン居室親機を介して映像を前記モニタ付インターホン居室副親機で出画し、カメラ付インターホン玄関子機、モニタ付インターホン居室親機、モニタ付インターホン居室副親機相互間で双方向通話を行なうテレビインターホン装置であって、モニタ付インターホン居室親機は、カメラ付インターホン子機から伝送された子機音声信号をデジタル方式で記録するための記録媒体を有し、モニタ付インターホン居室副親機は、記録媒体に記録されている子機音声信号を取得するための子機音声信号取得操作手段を備え、記子機音声信号取得信号を受信したモニタ付インターホン居室親機は、記録媒体に記録された子機音声信号を読み出してモニタ付インターホン居室副親機に送信し、再生させるものである。
【００１２】
また、本発明の第５の態様は、住宅の玄関に設けられ少なくとも１台以上のカメラ付インターホン玄関子機と、住宅の居室に設けられカメラ付インターホン子機と有線で接続されるモニタ付インターホン居室親機と、モニタ付インターホン居室親機と無線で接続される少なくとも１台以上のモニタ付インターホン居室副親機とを備え、カメラ付インターホン玄関子機で撮像した映像をモニタ付インターホン居室親機で出画するとともに、モニタ付インターホン居室親機を介して映像を前記モニタ付インターホン居室副親機で出画し、カメラ付インターホン玄関子機、モニタ付インターホン居室親機、モニタ付インターホン居室副親機相互間で双方向通話を行なうテレビインターホン装置であって、モニタ付インターホン居室親機は記録媒体を備え、当該記録媒体は、各モニタ付インターホン居室副親機から伝送された副親機音声信号を記録し、モニタ付インターホン居室副親機は、記録媒体に記録されている自らの、或は他の副親機音声信号を取得するための副親機音声信号取得操作手段を備え、副親機音声信号取得信号を受信したモニタ付インターホン居室親機は、記録媒体に記録された副親機音声信号を読み出してモニタ付インターホン居室副親機に送信し、再生させるものである。
【００１３】
また、本発明の第６の態様は、第１の態様乃至第５の態様の何れかであるテレビインターホン装置において、モニタ付インターホン居室親機は、カメラ付インターホン子機から伝送されるアナログ信号である映像信号をデジタル信号変換する親機Ａ／Ｄ変換回路と、デジタル信号を圧縮して圧縮信号を発生させるための親機圧縮器と、圧縮信号を無線にて送信するための親機無線送信機とを備え、モニタ付インターホン居室副親機は、親機無線送信機からの圧縮信号を受信する副親機無線受信機と、圧縮信号を伸長して表示させるための副親機伸長器とを備えたものである。
【００１４】
また、本発明の第７の態様は、第１の態様乃至第６の態様の何れかであるテレビインターホン装置において、モニタ付インターホン居室副親機は、モニタ付インターホン居室副親機から伝送される映像信号をデジタル信号変換する副親機Ａ／Ｄ変換回路と、デジタル信号を圧縮して圧縮信号を発生させるための副親機圧縮器と、圧縮信号を無線にて送信するための副親機無線送信機とを備え、モニタ付インターホン居室親機は、副親機無線送信機からの圧縮信号を受信する親機無線受信機と、圧縮信号を伸長して表示させるための親機伸長器とを備えたものである。
【００１５】
また、本発明の第８の態様は、第１の態様乃至第７の態様の何れかであるテレビインターホン装置において、モニタ付インターホン居室親機とモニタ付インターホン居室副親機間の無線通信方式として、ブルートゥ―ス（Ｂｌｕｅｔｏｏｔｈ「Ｂｌｕｅｔｏｏｔｈ ＳＩＧ，Ｉｎｃ．登録商標」）規格を使用するものである。
【００１６】
また、本発明の第９の態様は、第１の態様乃至第８の態様の何れかであるテレビインターホン装置において、記録媒体として、ＳＤメモリカードを使用するものである。
【発明の効果】
【００１７】
本発明の第１の態様乃至第９の態様のテレビインターホン装置によれば、モニタ付インターホン居室副親機が設置された居室内の状況をモニタ付インターホン居室親機で監視することができるので、モニタ付インターホン居室副親機を防犯設備として利用することができ、また、居住者はその都度モニタ付インターホン居室親機が設置されている居室に行かなくても、当該居室内の状況を確認することができる。
【発明を実施するための最良の形態】
【００１８】
以下、本発明のテレビインターホン装置を適用した実施の形態例について、図面を参照して詳述する。ここで、図１は、本発明のテレビインターホン装置のシステム構成図、図２は、同テレビインターホン装置のブロック図を示している。
【００１９】
図１において、本発明のテレビインターホン装置は、住宅の玄関に設けられる複数のカメラ付インターホン玄関子機１ａ、１ｂ、・・・と、住宅の居室（以下「第１の居室」という）に設けられるモニタ付インターホン居室親機２と、第１の居室と異なる別居室に設けられる複数のモニタ付インターホン居室副親機４ａ、４ｂ、・・・とを備えており、各カメラ付インターホン玄関子機１ａ、１ｂ、・・・は、それぞれ伝送路Ｌ１ａ、Ｌ１ｂ、・・・を介してモニタ付インターホン居室親機２に接続されている。
【００２０】
複数のカメラ付インターホン玄関子機１ａ、１ｂ、・・・は、それぞれ同様の構成とされ、図２に示すように、子機カメラ１１、映像変調回路１２、マイクおよびスピーカを有する子機通話部１３、子機音声回路１４、呼出ボタン１５、子機呼出検出回路１６および子機多重分離回路１７の各部（回路）を備えている。ここで、子機多重分離回路１７は、映像変調回路１２、子機音声回路１４および子機呼出検出回路１６に接続され、映像変調回路１２には子機カメラ１１が、子機音声回路１４には子機通話部１３が、子機呼出検出回路１６には呼出ボタン１５がそれぞれ接続されている。
【００２１】
モニタ付インターホン居室親機２は、図２に示すように、親機呼出検出回路２１、記録媒体２２、親機音声回路２３、親機音声コーデック２４、映像復調回路２５、親機Ａ／Ｄ変換回路２６、親機多重分離回路２７、親機伸張器２８ａおよび親機圧縮器２８ｂを有する親機圧縮伸張器２８、親機映像表示インターフェーイス（Ｉ／Ｆ）２９、親機映像表示部３０、マイクおよびスピーカを有する親機通話部３１、親機ＣＰＵ３２、親機無線送信機３３ａおよび親機無線受信機３３ｂを有する親機無線送受信機３３、アンテナ等を有する親機空中線回路３４および親機操作部３５の各部（回路）を備えている。ここで、親機ＣＰＵ３２は、親機呼出検出回路２１、記録媒体２２、親機音声回路２３、親機音声コーデック２４、映像復調回路２５、親機Ａ／Ｄ変換回路２６、親機圧縮伸張器２８、親機通話部３１、親機無線送受信機３３および親機操作部３５に接続され、親機音声コーデック２４には親機音声回路２３および親機無線送受信機３３が、親機圧縮伸張器２８には親機Ａ／Ｄ変換回路２６、親機映像表示Ｉ／Ｆ２９を介して親機映像表示部３０が、親機無線送受信機３３には親機空中線回路３４がそれぞれ接続されている。また、親機多重分離回路２７は、親機呼出検出回路２１、親機音声回路２３、映像復調回路２５および各伝送路Ｌ１ａ、Ｌ１ｂ、・・・に接続され、親機音声回路２３には親機通話部３１が、映像復調回路２５には親機Ａ／Ｄ変換回路２６がそれぞれ接続されている。
【００２２】
複数のモニタ付インターホン居室副親機４ａ、４ｂ、・・・は、それぞれ同様の構成とされ、図２に示すように、副親機カメラ４１、副親機Ａ／Ｄ変換回路４２、副親機伸張器４３ａおよび副親機圧縮器４３ｂを有する副親機圧縮伸張器４３、副親機映表示部４４、副親機映表示Ｉ／Ｆ４５、副親機通話部４６、副親機音声コーデック４７、副親機ＣＰＵ４８、副親機無線送信機４９ａおよび副親機無線受信機４９ｂを有する副親機無線送受信機４９、アンテナ等を有する副親機空中線回路５０、子機音声信号取得操作手段としての子機音声信号取得操作部５１ａ、子機映像信号取得操作手段としての子機映像信号取得操作部５１ｂ、副親機音声信号取得操作手段としての副親機音声信号取得操作部５１ｃ、副親機映像信号取得操作手段としての副親機映像信号取得操作部５１ｄを有する副親機操作部５１およびバッテリー（または電池）５２の各部（回路）を備えており、バッテリー（または電池）５２から各部（回路）に電源が供給されている。ここで、副親機ＣＰＵ４８は、副親機カメラ４１、副親機Ａ／Ｄ変換回路４２、副親機圧縮伸張器４３、副親機通話部４６、副親機音声コーデック４７、副親機無線送受信機４９および副親機操作部５１に接続され、副親機圧縮伸張器４３には副親機Ａ／Ｄ変換回路４２を介して副親機カメラ４１、副親機映表示Ｉ／Ｆ４５を介して副親機映表示部４４が、副親機音声コーデック４７には副親機通話部４６が、副親機無線送受信機４９には副親機空中線回路５０がそれぞれ接続されている。
【００２３】
次に、このように構成されたテレビインターホン装置の動作について説明する。なお、以下の実施例においては、主に、カメラ付インターホン玄関子機１ａ（以下「第１のカメラ付インターホン玄関子機１ａ」という。）、モニタ付インターホン居室親機２、モニタ付インターホン居室副親機４ａ（以下「第１のモニタ付インターホン居室副親機４ａ」という。）相互間で双方向通話を行なう場合について説明する。
【００２４】
先ず、来訪者が第１のカメラ付インターホン玄関子機１ａの呼出ボタン１５を押下すると子機呼出検出回路１６から親機呼出信号が出力され、この親機呼出信号が、子機多重分離回路１７、伝送路Ｌ１ａ（以下「第１の伝送路Ｌ１ａ」という。）、親機多重分離回路２７および親機呼出検出回路２１を介して親機ＣＰＵ３２へ伝送される。
【００２５】
かかる親機呼出信号が親機ＣＰＵ３２で検出されると、親機ＣＰＵ３２の制御により、親機通話部３１を構成するスピーカから呼出音が放音されると共に、映像復調回路２５や親機映像表示部３０等の映像表示系並びに親機通話部３１等の通話系が能動状態にされる。
【００２６】
また、これと同時に、親機ＣＰＵ３２から第１のモニタ付インターホン居室副親機４ａのＩＤ情報を含有する副親機呼出信号が出力され、この副親機呼出信号が親機無線送信機３３ａおよび親機空中線回路３４を介して無線で第１のモニタ付インターホン居室副親機４ａへ送信される。
【００２７】
モニタ付インターホン居室親機２から送信された副親機呼出信号は、副親機空中線回路５０および副親機無線受信機４９ｂを介して副親機ＣＰＵ４８へ伝送される。
【００２８】
かかる副親機呼出信号が副親機ＣＰＵ４８で検出されると、副親機ＣＰＵ４８の制御により、副親機通話部４６を構成するスピーカから呼出音が放音される共に、副親機映像表示部４４等の映像表示系並びに副親機通話部４６等の通話系が能動状態にされる。
【００２９】
一方、子機カメラ１１で撮像された来訪者の映像信号（以下「子機映像信号」という。）は、映像変調回路１２、子機多重分離回路１７、第１の伝送路Ｌ１ａ、親機多重分離回路２７、映像復調回路２５、親機Ａ／Ｄ変換回路２６、親機圧縮伸張器２８および親機映像表示Ｉ／Ｆ２９を介して親機映像表示部３０へ伝送される。これにより、来訪者の映像が親機映像表示部３０に出画される。
【００３０】
また、子機映像信号は親機Ａ／Ｄ変換回路２６においてアナログ信号からデジタル信号に変換され、親機Ａ／Ｄ変換回路２６から出力するデジタル信号は親機圧縮器２８ｂにおいて圧縮される。そして、親機圧縮器２８ｂから出力する圧縮信号（以下「子機圧縮信号」という。）は、親機ＣＰＵ３２の制御により、ＳＤメモリカード等から成る記録媒体２２に記録されると共に、前述の副親機呼出信号と同様の経路を経由して第１のモニタ付インターホン居室副親機４ａの副親機ＣＰＵ４８へ伝送される。
【００３１】
かかる子機圧縮信号は、副親機伸長器４３ａにおいて伸長され副親機映像表示Ｉ／Ｆ４５を介して副親機映像表示部４４へ送信される。これにより、来訪者の映像が副親機映像表示部４４に出画される。
【００３２】
ここで、居住者が、来訪者の映像を見ながら、モニタ付インターホン居室親機２の親機通話部３１によって応答すると、子機通話部１３、親機通話部３１間に通話路が形成され、また、第１のモニタ付インターホン居室副親機４ａの副親機通話部４６で応答すると、モニタ付インターホン居室親機２を介して子機通話部１３、副親機通話部４６間に通話路が形成される。これにより、居住者は、第１のカメラ付インターホン玄関子機１ａ、モニタ付インターホン居室親機２、第１のモニタ付インターホン居室副親機４ａ相互間で来訪者と双方向通話を行なうことができる。なお、居住者が通話終了後に所定の操作をすると、モニタ付インターホン居室親機２並びに第１のモニタ付インターホン居室副親機４ａの映像表示系や通話系が非能動とされ、待受状態に戻る。
【００３３】
なお、第１のカメラ付インターホン玄関子機１ａが設置された玄関の状況（音声）は、子機通話部１３を構成するマイク（不図示）で聴取され、聴取された音声信号（以下「子機音声信号」という。）は、子機音声回路１４、子機多重分離回路１７、第１の伝送路Ｌ１ａ、親機多重分離回路２７および親機音声回路２３を介して親機音声コーデック２４へ伝送され、親機音声コーデック２４によりアナログ信号からデジタル信号に変換されて、親機ＣＰＵ３２を介して記録媒体２２に記録される。
【００３４】
次に、第１のモニタ付インターホン居室副親機４ａの副親機カメラ４１で撮像された映像信号をモニタ付インターホン居室親機２の親機映像表示部３０に表示させ若しくは記録媒体２２に記録させる動作について説明する。
【００３５】
先ず、モニタ付インターホン居室親機２の親機操作部３５で所定の操作、例えば第１のモニタ付インターホン居室副親機４ａの映像を取得するための副親機モニタボタン（不図示）を操作すると、親機ＣＰＵ３２から第１のモニタ付インターホン居室副親機４ａのＩＤ情報を含有するモニタ信号が出力され、このモニタ信号が前述の副親機呼出信号と同様の経路を経由して第１のモニタ付インターホン居室副親機４ａの副親機ＣＰＵ４８へ伝送される。
【００３６】
かかるモニタ信号が副親機ＣＰＵ４８で検出されると、副親機ＣＰＵ４８の制御により、副親機カメラ４１が駆動され、第１のモニタ付インターホン居室副親機４ａが設置された居室内の状況が撮像され、撮像された映像信号（以下「副親機映像信号」という。）は、副親機Ａ／Ｄ変換回路４２においてアナログ信号からデジタル信号に変換される。そして、副親機Ａ／Ｄ変換回路４２から出力するデジタル信号は副親機圧縮器４３ｂにおいて圧縮され、副親機圧縮器４３ｂから出力する圧縮信号（以下「副親機圧縮信号」という。）は、前述のモニタ信号と逆の経路を経由してモニタ付インターホン居室親機２の親機ＣＰＵ３２へ送信される。
【００３７】
かかる副親機圧縮信号は、親機ＣＰＵ３２の制御により、記録媒体２２に記録されると共に親機伸長器２８ａへ送信され、当該親機伸長器２８ａにおいて伸長され、親機映像表示Ｉ／Ｆ２９を介して親機映像表示部３０へ送信される。これにより、第１のモニタ付インターホン居室副親機４ａの居室内の映像がリアルタイムで親機映像表示部３０に出画される。なお、モニタ付インターホン居室親機２の親機操作部３５で、第２のモニタ付インターホン居室副親機４ｂの映像を取得するための副親機モニタボタン（不図示）を操作すれば、前述と同様にして、第２のモニタ付インターホン居室副親機４ｂが設置された居室内の副親機映像信号を記録媒体２２に記録することができると共に第２のモニタ付インターホン居室副親機４ｂの居室内の映像をリアルタイムで親機映像表示部３０に出画させることができる。
【００３８】
次に、第１のモニタ付インターホン居室副親機４ａが設置された居室内の状況を聴取した音声信号をモニタ付インターホン居室親機２の親機通話部３１に放音させ若しくは記録媒体２２に記録させる動作について説明する。
【００３９】
先ず、第１のモニタ付インターホン居室副親機４ａの居室内の状況は、副親機通話部４６を構成するマイク（不図示）で聴取され、聴取された音声信号（以下「副親機音声信号」という。）は、副親機音声コーデック４７によりアナログ信号からデジタル信号に変換され、前述の副親機圧縮信号と同様の経路を経由してモニタ付インターホン居室親機２の親機ＣＰＵ３２へ送信される。
【００４０】
かかる副親機音声信号が親機ＣＰＵ３２で検出されると、親機ＣＰＵ３２の制御により、親機通話部３１を構成するスピーカから聴取音が放音される共に、当該副親機音声信号が記録媒体２２に記録される。
なお、第２のモニタ付インターホン居室副親機４ｂの居室内の状況を聴取した副親機音声信号も、前述と同様にして、親機通話部３１のスピーカから放音させることができると共に、記録媒体２２に記録させることができる。
【００４１】
以上のようにして記録媒体２２に記録された副親機映像信号および副親機音声信号は、次のようにして再生することができる。
【００４２】
第１に、モニタ付インターホン居室親機２の親機操作部３５において、第１のモニタ付インターホン居室副親機４ａに係る再生ボタン（不図示）を操作することにより、記録媒体２２から第１のモニタ付インターホン居室副親機４ａに係る副親機映像信号や副親機音声信号が読み出され、前者の副親機映像信号は親機伸張器２８ａおよび親機映像表示Ｉ／Ｆ２９を介して親機映像表示部３０へ、後者の副親機音声信号は親機通話部３１へそれぞれ送信される。これにより、モニタ付インターホン居室親機２において、第１のモニタ付インターホン居室副親機４ａが設置された居室内の映像および音声を再生することができる。
【００４３】
第２に、第１のモニタ付インターホン居室副親機４ａの副親機音声取得信号操作部５１ｃや副親機映像取得信号操作部５１ｄを操作することにより、副親機ＣＰＵ４８から例えば第２のモニタ付インターホン居室副親機４ｂに係る副親機音声取得信号や副親機映像取得信号が出力され、これらの副親機音声取得信号や副親機映像取得信号が前述の副親機音声信号や副親機映像信号と同様の経路を経由してモニタ付インターホン居室親機２の親機ＣＰＵ３２へ送信される。
【００４４】
かかる副親機音声取得信号や副親機映像取得信号が親機ＣＰＵ３２で検出されると、親機ＣＰＵ３２の制御により、記録媒体２２から例えば第２のモニタ付インターホン居室副親機４ｂに係る副親機映像信号や副親機音声信号が読み出され、これらの副親機映像信号や副親機音声信号が前述の副親機音声取得信号や副親機映像取得信号と逆の経路を経由して第１のモニタ付インターホン居室副親機４ａの副親機ＣＰＵ４８へ送信される。
【００４５】
そして、かかる副親機映像信号や副親機音声信号が副親機ＣＰＵ４８で検出されると、前者の副親機映像信号は副親機伸張器４３ａおよび副親機映像表示Ｉ／Ｆ４５を介して副親機映像表示部４４へ、後者の副親機音声信号は副親機通話部４６へそれぞれ送信される。これにより、第１のモニタ付インターホン居室副親機４ａにおいて、第２のモニタ付インターホン居室副親機４ｂが設置された居室内の映像および音声を再生することができる。
【００４６】
第３に、第１のモニタ付インターホン居室副親機４ａの子機音声取得信号操作部５１ａや子機映像取得信号操作部５１ｂを操作することにより、副親機ＣＰＵ４８から子機音声取得信号や子機映像取得信号が出力され、これらの子機音声取得信号や子機映像取得信号が前述の副親機音声信号や副親機映像信号と同様の経路を経由してモニタ付インターホン居室親機２の親機ＣＰＵ３２へ送信される。従って、この実施例においても、前述と同様にして、第１のモニタ付インターホン居室副親機４ａにおいて、来評者の映像や音声を再生することができる。
【００４７】
なお、以上の実施例において、モニタ付インターホン居室親機とモニタ付インターホン居室副親機間の無線通信手段として、ブルートゥ―ス規格を使用した場合においては、機器間の電波干渉を防止することができる。
【産業上の利用可能性】
【００４８】
なお、前述の実施例においては、子機音声信号、子機映像信号、副親機音声信号および副親機映像信号を全て同一の記録媒体に記録させているが、本発明はこれに限定されず、これらの子機音声信号、子機映像信号、副親機音声信号および副親機映像信号をそれぞれ別体の記録媒体に記録させてもよい。また、カメラ付インターホン玄関子機の設置台数およびモニタ付インターホン居室副親機の設置台数はシステムの規模に応じて増減することができる。
【図面の簡単な説明】
【００４９】
【図１】本発明のテレビインターホン装置のシステム構成図。
【図２】本発明のテレビインターホン装置のブロック図。
【符号の説明】
【００５０】
１ａ、１ｂ・・・カメラ付インターホン玄関子機
２・・・モニタ付インターホン居室親機
２２・・・記録媒体
２６・・・親機Ａ／Ｄ変換回路
２８ａ・・・親機伸長器
２８ｂ・・・親機圧縮器
３３ａ・・・親機無線送信機
３３ｂ・・・親機無線受信機
４ａ、４ｂ・・・モニタ付インターホン居室副親機
４１・・・副親機カメラ
４２・・・副親機Ａ／Ｄ変換回路
４３ａ・・・副親機伸長器
４３ｂ・・・副親機圧縮器
４９ａ・・・副親機無線送信機
４９ｂ・・・副親機無線受信機
５１ａ・・・子機音声信号取得操作手段（子機音声信号取得操作部）
５１ｂ・・・子機映像信号取得操作手段（子機映像信号取得操作部）
５１ｃ・・・副親機音声信号取得操作手段（副親機音声信号取得操作部）
５１ｄ・・・副親機映像信号取得操作手段（副親機映像信号取得操作部）
【図１】
2005109834.tif 000003
【図２】
2005109834.tif 000004